(57)【要約】【課題】宛先番号の入力の手間をより軽減することのできる通信装置およびその制御方法を提供すること目的とする。【解決手段】少ないキー入力操作数で宛先番号を入力する短縮ダイヤル機能を備えた通信装置であって、宛先番号を入力するためのタッチパネル入力手段を備え、前記短縮ダイヤル機能で参照する複数の短縮ダイヤル番号を登録した宛先管理情報に基づいて、前記タッチパネル入力手段に表示する宛先入力操作画面の画面表示態様を制御するようにした。【選択図】        図２
2008283518.tif 000002
【特許請求の範囲】
【請求項１】
少ないキー入力操作数で宛先番号を入力する短縮ダイヤル機能を備えた通信装置であって、
宛先番号を入力するためのタッチパネル入力手段を備え、
前記短縮ダイヤル機能で参照する複数の短縮ダイヤル番号を登録した宛先管理情報に基づいて、前記タッチパネル入力手段に表示する宛先入力操作画面の画面表示態様を制御することを特徴とする通信装置。
【請求項２】
前記宛先管理情報に登録される情報要素は、おのおのの短縮ダイヤル番号について、宛先番号、宛先名称、回線種別、および、検索文字が少なくとも登録され、
前記タッチパネル入力手段に表示する宛先入力操作画面は、前記検索文字をキーとして所定態様に仕分けた前記情報要素を検索グループ単位に表示する第１の表示域と、前記キーとして用いた文字を配列する第２の表示域を備え、
前記第２の表示域の要素がタッチ操作されると、当該操作された要素に割り当てられている文字に対応した前記検索グループを、前記第１の表示域に表示することを特徴とする請求項１記載の通信装置。
【請求項３】
新たな短縮ダイヤル番号の新規登録操作時、前記タッチパネル入力手段の前記第１の表示域に表示されている前記検索グループの文字を、新規登録時の前記検索文字に設定することを特徴とする請求項２記載の通信装置。
【請求項４】
少ないキー入力操作数で宛先番号を入力する短縮ダイヤル機能を備えた通信装置の制御方法であって、
宛先番号を入力するためのタッチパネル入力手段を備え、
前記短縮ダイヤル機能で参照する複数の短縮ダイヤル番号を登録した宛先管理情報に基づいて、前記タッチパネル入力手段に表示する宛先入力操作画面の画面表示態様を制御することを特徴とする通信装置の制御方法。
【請求項５】
前記宛先管理情報に登録される情報要素は、おのおのの短縮ダイヤル番号について、宛先番号、宛先名称、回線種別、および、検索文字が少なくとも登録され、
前記タッチパネル入力手段に表示する宛先入力操作画面は、前記検索文字をキーとして所定態様に仕分けた前記情報要素を検索グループ単位に表示する第１の表示域と、前記キーとして用いた文字を配列する第２の表示域を備え、
前記第２の表示域の要素がタッチ操作されると、当該操作された要素に割り当てられている文字に対応した前記検索グループを、前記第１の表示域に表示することを特徴とする請求項４記載の通信装置の制御方法。
【請求項６】
新たな短縮ダイヤル番号の新規登録操作時、前記タッチパネル入力手段の前記第１の表示域に表示されている前記検索グループの文字を、新規登録時の前記検索文字に設定することを特徴とする請求項５記載の通信装置の制御方法。
【発明の詳細な説明】
【技術分野】
【０００１】
本発明は、少ないキー入力操作数で宛先番号を入力する短縮ダイヤル機能を備えた通信装置およびその制御方法に関する。
【背景技術】
【０００２】
従来、ファクシミリ装置、ネットワークファクシミリ装置、および、デジタル複合機などの通信装置では、少ないキー入力操作数で宛先番号を入力する短縮ダイヤル機能を備えており、宛先を入力する際のユーザの負担を軽減できるようにしていた。
【特許文献１】特開２００６−２８７７９０号公報
【特許文献２】特開２００６−２３８２３号公報
【特許文献３】特開２００６−８６９７５号公報
【発明の開示】
【発明が解決しようとする課題】
【０００３】
一方で、継続して人気のある機器の利便性をはかるべき手間をかけずに利用者の利便性を図ることが開発者（メーカ）および利用者に求められている。前者は開発パワーをかけずに新規分野にトライしたいし、後者はなじみのある商品に最近の流行を取りみ操作性の継続または改善したものであれば幸いである。
【０００４】
本発明は、かかる実情に鑑みてなされたものであり、宛先番号の入力の手間をより軽減することのできる通信装置およびその制御方法を提供すること目的とする。
【課題を解決するための手段】
【０００５】
本発明は、少ないキー入力操作数で宛先番号を入力する短縮ダイヤル機能を備えた通信装置であって、宛先番号を入力するためのタッチパネル入力手段を備え、前記短縮ダイヤル機能で参照する複数の短縮ダイヤル番号を登録した宛先管理情報に基づいて、前記タッチパネル入力手段に表示する宛先入力操作画面の画面表示態様を制御するようにしたものである。
また、前記宛先管理情報に登録される情報要素は、おのおのの短縮ダイヤル番号について、宛先番号、宛先名称、回線種別、および、検索文字が少なくとも登録され、前記タッチパネル入力手段に表示する宛先入力操作画面は、前記検索文字をキーとして所定態様に仕分けた前記情報要素を検索グループ単位に表示する第１の表示域と、前記キーとして用いた文字を配列する第２の表示域を備え、前記第２の表示域の要素がタッチ操作されると、当該操作された要素に割り当てられている文字に対応した前記検索グループを、前記第１の表示域に表示するようにしたものである。
また、新たな短縮ダイヤル番号の新規登録操作時、前記タッチパネル入力手段の前記第１の表示域に表示されている前記検索グループの文字を、新規登録時の前記検索文字に設定するようにしたものである。
【０００６】
また、少ないキー入力操作数で宛先番号を入力する短縮ダイヤル機能を備えた通信装置の制御方法であって、宛先番号を入力するためのタッチパネル入力手段を備え、前記短縮ダイヤル機能で参照する複数の短縮ダイヤル番号を登録した宛先管理情報に基づいて、前記タッチパネル入力手段に表示する宛先入力操作画面の画面表示態様を制御するようにしたものである。
また、前記宛先管理情報に登録される情報要素は、おのおのの短縮ダイヤル番号について、宛先番号、宛先名称、回線種別、および、検索文字が少なくとも登録され、前記タッチパネル入力手段に表示する宛先入力操作画面は、前記検索文字をキーとして所定態様に仕分けた前記情報要素を検索グループ単位に表示する第１の表示域と、前記キーとして用いた文字を配列する第２の表示域を備え、前記第２の表示域の要素がタッチ操作されると、当該操作された要素に割り当てられている文字に対応した前記検索グループを、前記第１の表示域に表示するようにしたものである。
また、新たな短縮ダイヤル番号の新規登録操作時、前記タッチパネル入力手段の前記第１の表示域に表示されている前記検索グループの文字を、新規登録時の前記検索文字に設定するようにしたものである。
【発明の効果】
【０００７】
したがって、本発明によれば、利用頻度の少ない操作者はタッチパネル入力手段を用いることで容易に宛先を指定することができるとともに、熟練者等は短縮ダイヤル番号を入力することで短時間で宛先を指定することができるという効果を得る。
【発明を実施するための最良の形態】
【０００８】
以下、添付図面を参照しながら、本発明の実施の形態を詳細に説明する。
【０００９】
図１は、本発明の一実施例にかかるネットワーク対応画像形成装置（通信装置）の構成例を示している。
【００１０】
同図において、システム制御部１は、このネットワーク対応画像形成装置の各部の制御処理、公衆電話回線網およびＩＳＤＮ回線を用いてファクシミリ通信を行うためのファクシミリ伝送手順処理や、ネットワークを用いて電子メール通信やそれ以外の種々の通信を行うためのネットワーク通信処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク対応画像形成装置に固有な各種の情報を記憶するためのものであり、時計回路４は、現在時刻情報を出力するものである。
【００１１】
スキャナ５は、所定の解像度で原稿画像を読み取るためのものであり、プロッタ６は、所定の解像度で画像を記録出力するためのものであり、操作表示部７は、このネットワーク対応画像形成装置を操作するためのもので、各種の操作キー、および、各種の表示器からなる。
【００１２】
符号化復号化部８は、画信号を符号化圧縮するとともに、符号化圧縮されている画情報を元の画信号に復号化するためのものであり、磁気ディスク装置９は、符号化圧縮された状態の画情報や、画像データおよび種々のデータファイルなどを記憶するためのものである。
【００１３】
ネットワーク接続制御部１０は、ネットワーク（例えば、ローカルエリアネットワーク、イントラネット、あるいは、インターネットなど）に接続して、ネットワークを介して電子メールを送受信したり、適宜なプロトコルを適用して相手端末との間で通信を行うためのものである。
【００１４】
ＩＳＤＮ回線接続制御部１１は、ＩＳＤＮ回線に接続して、グループ３／グループ４ファクシミリ通信および通話を行うためのものであり、公衆電話回線網接続制御部１２は、公衆電話回線網ＰＳＴＮに接続して、グループ３ファクシミリ通信および通話を行うためのものである。
【００１５】
これらの、システム制御部１、システムメモリ２、パラメータメモリ３、時計回路４、スキャナ５、プロッタ６、操作表示部７、符号化復号化部８、磁気ディスク装置９、ネットワーク接続制御部１０、ＩＳＤＮ回線接続制御部１１、および、公衆電話回線網接続制御部１２は、内部バス１３に接続されており、これらの各要素間でのデータのやりとりは、主としてこの内部バス１３を介して行われている。
【００１６】
図２は、操作表示部７の構成の一例を示している。この操作表示部７は、ワンタッチダイヤル番号入力機能のための操作手段と、タッチパネル入力手段の両方を備えている。
【００１７】
同図において、スタートキー７ａは、このネットワーク対応画像形成装置の送受信動作等の開始を指令入力するためのものであり、ストップキー７ｂは、このネットワーク対応画像形成装置の動作の停止を指令入力するためのものであり、テンキー７ｃは、電話番号などの数字（数値）情報を入力するためのものである。
【００１８】
短縮ダイヤルキー７ｄは、短縮ダイヤル番号を入力するための入力モードの開始を指令するためのものであり、ポーズ／リダイヤルキー７ｅは、ポーズ（無音コード）または同一宛先への再発呼を指令するためのものであり、クリアキー７ｆは、テンキー７ｃで入力した数値を１桁消去するためのものであり、オンフックキー７ｇは、オンフック通信モードの入力を指令するためのものである。
【００１９】
タッチパネル装置７ｈは、例えば、カラー（またはモノクロ）液晶表示装置の表示面に、当該表示面の任意の座標への押圧操作（タッチ操作）を検出するための座標検出透明パネルを組み込んだものである。このタッチパネル装置７ｈは、本実施例では、主として宛先の入力手段として用いられる（後述）。
【００２０】
状態表示部７ｉは、ネットワーク対応画像形成装置の動作状態などを表示するためのものである。この場合、例えば、通信モードが「Ｇ３／Ｇ４／Ｍａｉｌ」のどの状態だるかを表すための表示ランプ（ＬＥＤなど）、「トナー切れ」、「ジャム発生」、「ドア開」をそれぞれ通知する表示ランプ、および、「サービスマンコール（ＳＣ）が発生している」ことを通知する表示ランプなどが設けられている。
【００２１】
ファンクションキー７ｉは、ユーザが独自に定義することができるものであり、プログラム登録などを行うことができる。
【００２２】
初期設定キー７ｋは、このネットワーク対応画像形成装置の初期設定動作を行わせるためのものである。例えば、短縮ダイヤル番号の登録などは、この初期設定キー７ｋを操作して表示される表示画面からその作業の選択を行うことができる。
【００２３】
表示器７ｌは、液晶表示装置などの画面表示装置からなり、操作内容などを表示するためのものであり、汎用キー７ｍは、表示器７ｌに表示されている操作項目を選択操作するためのものであり、矢印キー７ｎは、表示器７ｌの操作項目を左右に移動する操作を行うためのものである。
【００２４】
また、この操作表示部７には、ユーザに対して警告音等を通知するためのブザー（図示略）も設けられている。
【００２５】
図３は、タッチパネル装置７ｈの表示の一例を示している。
【００２６】
このタッチパネル装置７ｈの表示画面は、中央に短縮ダイヤル番号に登録されている宛先の一覧を表示する表示領域７ｈａが設けられている。この表示領域７ｈａに表示される宛先は、その上部に表示されている複数のタブ７ｈｂ〜７ｈｌの文字をキーとしてヒットした検索文字（後述）が登録されている短縮ダイヤル番号のみが抽出される。
【００２７】
同図の場合は、検索処理に適用されるヒットする文字列の属性として「あ行」、「か行」、「さ行」、「た行」・・・「わ行」が設定されている状態で、選択操作されたタブ７ｈｃには「あ行」が割り当てられている場合を示している。したがって、この場合、表示領域７ｈａには、検索文字として「あ」、「い」、「う」、「え」、「お」が設定されている短縮ダイヤル番号の登録内容が、おのおのの短縮ダイヤル番号を矩形領域の表示単位に配置された状態で配列されている（通常検索）。ここで、１つの検索文字を用いて検索された宛先の集合を「検索グループ」という。
【００２８】
また、検索処理に適用される文字列の属性として、単独の文字を適用することができる（詳細検索）。この場合、「あ」が設定されているタブを選択した場合に表示領域７ｈａに表示される検索グループには、検索文字として「あ」が登録されている短縮ダイヤル番号のみが抽出される。
【００２９】
ここで、タブ７ｈｂには、「常用」が設定されている。この「常用」は、検索文字として「空（ＮＵＬＬ）」が設定されている短縮ダイヤル番号を表示するためのものである。また、タブ７ｈｍには、「切替」が設定されている。この「切替」を操作すると表示態様が日本語表記と英語表記の間で交互に入れ替わる。
【００３０】
また、表示画面の右側の表示領域には、多用途キー７ｈｎ、「↑前へ」キー７ｈｏ、および、「↓次へ」キー７ｈｐが表示されている。多用途キー７ｈｎは種々の目的で使用されるものであり、例えば、短縮ダイヤル番号の新規登録時に操作されると、図４に示すように、「新規宛先」の操作要素ＮＮが表示される。ユーザは、この操作要素ＮＮをタッチ操作することで、短縮ダイアル番号の新規登録を行うことができる（後述）。
【００３１】
また、「↑前へ」キー７ｈｏと「↓次へ」キー７ｈｐは、それぞれ表示領域７ｈａの表示内容を「前ページ」または「次ページ」へページ切換えするためのものである。
【００３２】
図５は、短縮ダイヤル機能および再発呼機能で用いられる宛先管理情報の一例を示している。
【００３３】
この宛先管理情報の１つの要素は、短縮ダイヤルまたは再発呼時に参照されるテンポラリ宛先の区別をあらわす「種別他」、宛先の電話番号や電子メールアドレスなどを記憶するための「宛先番号」、登録された宛先の名称を記憶するための「宛先名称」、当該宛先への通信の際に用いられる回線の種別をあらわす「回線種別（Ｇ３ＦＡＸ、Ｇ４ＦＡＸ、Ｍａｉｌ、Ｓｃａｎなど）」、および、当該短縮ダイヤル宛先に設定された検索文字をあらわす「検索文字」からなる。
【００３４】
なお、「種別他」が「テンポラリ００」〜「テンポラリＭ」の（Ｍ＋１）個の要素については、「宛先名称」および「検索文字」は登録されない。
【００３５】
以上の構成で、ネットワーク対応画像形成装置が待機状態の場合には、操作表示部７の表示器７ｌには、例えば、図６（ａ）に示すような待機中の画面が表示されている。この状態で、ユーザが原稿をセットすると、図７に示すような処理が実行される。
【００３６】
まず、宛先数を「０」にクリアし（処理１０１）、ユーザが操作表示部７のいずれかのキー（タッチパネル装置７ｈの操作要素を含む）を操作するまで待つ（判断１０２のＮＯループ）。
【００３７】
判断１０２の結果がＹＥＳになると、キー入力されたものがテンキー７ｃであるか、短縮ダイヤルキー７ｄであるか、タッチパネル装置７ｈの操作要素であるか、スタートキー７ａであるかを調べる（判断１０３，１０４，１０５，１０６）。
【００３８】
テンキー７ｃが操作された場合で、判断１０３の結果がＹＥＳになるときには、ユーザがテンキー７ｃを操作して、宛先番号が入力される（処理１０７）。このテンキー宛先処理（処理１０７）により、有効な宛先が入力されたかどうかを調べ（判断１０８）、判断１０８の結果がＹＥＳになるときには、宛先数を１つ増やして判断１０２へ戻り、ユーザのキー操作に待機する。また、判断１０８の結果がＮＯになるときには、例えば、「入力された宛先番号は正しくありません。」などの適宜なエラーメッセージを表示器７ｌに表示し（処理１１０）、判断１０２へ戻る。
【００３９】
また、ユーザが短縮ダイヤルキー７ｄを操作した場合で、判断１０４の結果がＹＥＳになるときには、ユーザは、テンキー７ｃを用いて３桁の短縮ダイヤル番号を入力する（処理１１１）。短縮ダイヤル番号の入力が終了すると、判断１０８へ移行し、有効な宛先であるか否かの判断を行い、それ以降の処理を実行する。判断１０８の判断処理は、例えば、宛先管理情報を参照して、入力された短縮ダイヤル番号に適切な情報が登録されているか否かを調べるなどの処理を適用することができる。有効であった場合には、例えば、図６（ｂ）に示すように表示器７ｌに宛先管理情報に登録された宛先名称などが表示される。有効でない場合には、例えば、「有効な宛先ではありません」というエラーメッセージを表示器７ｌに表示する。
【００４０】
また、ユーザがタッチパネル装置７ｈの操作要素を操作した場合で、判断１０５の結果がＹＥＳになるときには、操作された対象に登録されている宛先が有効な宛先であるかどうかを調べる（判断１１２）。判断１１２の結果がＮＯになるときには、「有効な宛先ではありません」などのエラーメッセージを表示器７ｌに表示して（処理１１３）、判断１０２へ戻る。また、判断１１２の結果がＹＥＳになるときには、処理１０９へ進み、それ以降の処理を実行する。また、有効な宛先が入力された場合には、図６（ｂ）に示すように宛先管理情報に登録された宛先名称などが表示器７ｌに表示される。
【００４１】
また、ユーザがスタートキー７ａを操作した場合で、判断１０６の結果がＹＥＳになるときには、それまでの操作で指定された宛先数が１以上になっているかどうかを調べ（判断１１４）、判断１１４の結果がＹＥＳになるときには、スキャナ５の原稿読取動作を開始し（処理１１５）、それ以降の処理を実行して、送信動作を行う。
【００４２】
また、宛先数が「０」の場合には、判断１０２へ戻り、ユーザに宛先の入力を促す。
【００４３】
図８は、図７の処理で１つの宛先が確定したときの処理の一例を示している。
【００４４】
１つの宛先が確定すると、確定した宛先がタッチパネル装置７ｈの操作要素の操作によるものであるかどうかを調べ（判断２０１）、判断２０１の結果がＹＥＳになるときには、対応する表示要素を反転表示する（処理２０２）。
【００４５】
また、判断２０１の結果がＮＯになるときには、短縮ダイヤルキー７ｄを操作して入力された宛先であるかどうかを調べる（判断２０３）。判断２０３の結果がＹＥＳになるときには、そのときに入力された短縮ダイヤル番号に対応するタッチパネル装置７ｈの操作要素の表示要素を反転表示する（処理２０４）。また、判断２０３の結果がＮＯになるときには、この処理を終了する。
【００４６】
また、処理２０４の場合、表示領域７ｈａに現在表示している内容が、確定した宛先の検索グループに対応しない場合、表示領域７ｈａには、その確定した宛先の検索グループに対応する表示内容に切換えるようにすることもできる。
【００４７】
次に、図９，１０，１１を参照して短縮ダイヤル番号を登録する際の処理について説明する。この短縮ダイヤル番号の登録処理は、初期設定キー７ｋを操作して表示される画面から選択することができる（図示略）。
【００４８】
まず、図６（ｃ）に示すようなガイダンスメッセージを表示して（処理３０１）、ユーザが「登録状況」、「移動／コピー」、または、「前メニュー」に対応した汎用キー７ｍを操作するか、テンキー７ｃをキー操作するか、タッチパネル装置７ｈの多用途キー７ｈｎを操作して表示させた「新規宛先」の操作要素ＮＮ（図４参照）を操作するか監視する（判断３０２，３０３，３０４，３０５，３０６）。
【００４９】
「登録状況」に対応した汎用キー７ｍを操作した場合で、判断３０２の結果がＹＥＳになるときには、宛先管理情報に登録されている短縮ダイアル番号の一覧などを表示する（処理３０７）。
【００５０】
また、「移動／コピー」に対応した汎用キー７ｍを操作した場合で、判断３０３の結果がＹＥＳになるときには、登録された短縮ダイアル番号の移動やコピーの処理を行う（処理３０８）。
【００５１】
また、「前メニュー」に対応した汎用キー７ｍを操作した場合で、判断３０４の結果がＹＥＳになるときには、１つ上の階層のメニューを表示器７ｌに表示する状態へ移行する（処理３０９）。
【００５２】
テンキー７ｃをキー操作した場合で、判断３０５の結果がＹＥＳになるときには、図６（ｄ）に示したような宛先番号入力ガイダンスメッセージを表示器７ｌに表示して（処理３１１）、ユーザが「宛先名」、「各種設定」、「取り消し」、または、「設定」に対応した汎用キー７ｍを操作することを監視する（判断３１２，３１３，３１４，３１５）。
【００５３】
ユーザが「宛先名」に対応した汎用キー７ｍを操作した場合で判断３１２の結果がＹＥＳになるときには、宛先名を入力する処理を実行する（処理３１６）。
【００５４】
また、ユーザが「各種設定」に対応した汎用キー７ｍを操作した場合で判断３１３の結果がＹＥＳになるときには、この場合は、検索文字の設定動作を行う。まず、宛先名が既に登録されているかどうかを調べ（判断３１７）、判断３１７の結果がＹＥＳになるときには、登録された宛先名の先頭文字の読みの最初の文字を取得して、検索文字にセットし（処理３１８）、また、判断３１７の結果がＮＯになるときには、空（ＮＵＬＬ）を検索文字にセットする（処理３１９）。このようにして、検索文字の初期値の設定を行った後、ユーザに検索文字の入力を行わせる（処理３２０）。
【００５５】
また、「設定」に対応した汎用キー７ｍを操作した場合で判断３１４の結果がＹＥＳになるときには、入力内容を確定して保存し（処理３２１）、処理３０９へ移行し、この動作を終了して、１つ上の階層のメニューへ移行する。
【００５６】
また、「取り消し」に対応した汎用キー７ｍを操作した場合で判断３１５の結果がＹＥＳになるときには、入力内容を破棄し（処理３２２）、処理３０９へ移行し、この動作を終了して、１つ上の階層のメニューへ移行する。
【００５７】
また、タッチパネル装置７ｈの多用途キー７ｈｎを操作して表示させた「新規宛先」の操作要素ＮＮが操作された場合で、判断３０６の結果がＹＥＳになるときには、まず、短縮ダイアル番号を自動的に採番するモードが設定されているかどうかを調べる（判断３２６）。判断３２６の結果がＹＥＳになるときには、宛先管理情報を調べて、宛先番号が登録されていない短縮ダイアル番号を選択し、このときに登録する短縮ダイアル番号に設定する（処理３２７）。また、判断３２６の結果がＮＯになるときには、ユーザに対して、テンキー７ｃを用いて３桁の短縮ダイヤル番号を入力させ、その入力された番号をこのときに登録する短縮ダイヤル番号に設定する（処理３２８）。
【００５８】
次いで、そのときに選択操作されているタブに登録されている文字を取得し、登録する検索文字として設定する（処理３２９）。
【００５９】
そして、図６（ｄ）に示したような宛先番号入力ガイダンスメッセージを表示器７ｌに表示して（処理３３０）、ユーザが「宛先名」、「取り消し」、または、「設定」に対応した汎用キー７ｍを操作することを監視する（判断３３１，３３２，３３３）。
【００６０】
ユーザが「宛先名」に対応した汎用キー７ｍを操作した場合で判断３３１の結果がＹＥＳになるときには、宛先名を入力する処理を実行する（処理３３４）。
【００６１】
また、「設定」に対応した汎用キー７ｍを操作した場合で判断３３２の結果がＹＥＳになるときには、入力内容を確定して保存し（処理３３５）、処理３０９へ移行し、この動作を終了して、１つ上の階層のメニューへ移行する。
【００６２】
また、「取り消し」に対応した汎用キー７ｍを操作した場合で判断３３３の結果がＹＥＳになるときには、入力内容を破棄し（処理３３６）、処理３０９へ移行し、この動作を終了して、１つ上の階層のメニューへ移行する。
【００６３】
このようにして、本実施例では、ユーザは、短縮ダイアル番号を直接操作しても、タッチパネル装置７ｈの表示内容を参照した操作を行っても、同じように宛先を指定することができるので、ユーザの習熟度に応じたそれぞれ最適な宛先操作手段を提供することができる。
【００６４】
また、短縮ダイアル番号を用いる際に参照する宛先管理情報を、タッチパネル装置７ｈによる宛先入力処理にそのまま用いているので、宛先管理情報の管理処理が簡単になるとともに、必要なデータ容量を抑制することができる。
【００６５】
また、短縮ダイアルの直接操作と、タッチパネル装置７ｈの操作という異なる操作手段で指定した宛先を等価に見せることで利用者を安心させられるので、例えば登録番号を知っている宛先と知らない宛先に同報送信する場合に安心である。
【図面の簡単な説明】
【００６６】
【図１】本発明の一実施例にかかるネットワーク対応画像形成装置（通信装置）の構成例を示したブロック図。
【図２】操作表示部７の構成の一例を示した概略図。
【図３】タッチパネル装置７ｈの表示の一例を示した概略図。
【図４】タッチパネル装置７ｈの表示の他の例を示した概略図。
【図５】短縮ダイヤル機能および再発呼機能で用いられる宛先管理情報の一例を示した概略図。
【図６】表示器７ｌの表示内容を示した概略図。
【図７】ユーザが原稿をセットすると実行される処理の一例を示したフローチャート。
【図８】図７の処理で１つの宛先が確定したときの処理の一例を示したフローチャート。
【図９】短縮ダイヤル番号を登録する際の処理の一例を示したフローチャート（図１０に続く）。
【図１０】短縮ダイヤル番号を登録する際の処理の一例を示したフローチャート（図９の続き；図１１に続く）。
【図１１】短縮ダイヤル番号を登録する際の処理の一例を示したフローチャート（図１０の続き）。
【符号の説明】
【００６７】
１  システム制御部
２  システムメモリ
３  パラメータメモリ
７  操作表示部
７ｃ  テンキー
７ｄ  短縮ダイアルキー
７ｈ  タッチパネル装置
【図１】
2008283518.tif 000003
【図２】
2008283518.tif 000004
【図３】
2008283518.tif 000005
【図４】
2008283518.tif 000006
【図５】
2008283518.tif 000007
【図６】
2008283518.tif 000008
【図７】
2008283518.tif 000009
【図８】
2008283518.tif 000010
【図９】
2008283518.tif 000011
【図１０】
2008283518.tif 000012
【図１１】
2008283518.tif 000013